(57)【特許請求の範囲】
【請求項１】
上面を開口させると共に、側部に光源からの光を内部に受け入れる受光部を備えた吸い殻収納体と、
この受光部の上方を覆うように配されると共に、光を上方に漏らし出させる貫通孔と、受光部から受け入れられた光をこの貫通孔に下方から入射させるように反射させる反射部とを備えた煙草の揉み消しプレート体と、
この揉み消しプレート体の上方に配されると共に、貫通孔から漏らし出された光を揉み消しプレート体の上面側に向けて反射させる反射プレート体とを備えており、
揉み消しプレート体の左右両側にはそれぞれ下方に突き出す取り付け脚部が備えられていると共に、
吸い殻収納体における受光部の左右両側にはそれぞれ揉み消しプレート体の取り付け脚部が上方からはめ込まれるはめ込み部が形成してあり、
揉み消しプレート体は、取り付け脚部を構成する下端を屈曲部とした左右屈曲片の前側片の上端間に亘るように設けられ、
反射プレート体は、この左右屈曲片の後側片の上端間に亘るように設けられ、
この取り付け脚部を介して揉み消しプレート体と反射プレート体とが一体となっていることを特徴とする灰皿装置。
【請求項２】
吸い殻収納体の開口がこの開口の一側縁部に回動可能に組み付けられた蓋体によって開放可能に塞がれていると共に、
受光部がこの蓋体の回動組み付け側にある吸い殻収納体の側部に形成してあり、
揉み消しプレート体が反射プレート体との接合側を前記回動組み付け側に向けるようにして取り付けられていることを特徴とする請求項１記載の灰皿装置。
【請求項３】
反射プレート体が弾性を備えていると共に、
蓋体が、その開き位置でこの反射プレート体の背面に押し当てられる第一の接触面と、その閉じ位置でこの反射プレート体の背面に押し当てられる第二の接触面とを、この第一の接触面に対し第二の接触面が交叉する向きの面となるように、この反射プレート体の背面への接触隅部を挟んで備えた反射プレート体への接触部を有していることを特徴とする請求項２記載の灰皿装置。
【発明の詳細な説明】
【０００１】
【発明の属する技術分野】
この発明は、自動車などの乗り物の室内などに備え付けられて用いられる灰皿装置の改良に関する。
【０００２】
【従来の技術】
自動車などの乗り物の室内などに備え付けられて用いられる灰皿装置にあっては、こうした室内が暗い場合であっても、この種の灰皿装置における煙草を揉み消す部分を視認できるように、この揉み消す部分をライトアップさせる要請がある。
【０００３】
こうしたことから、この揉み消し部分の上側方にある灰皿装置の側壁に、光源からの光を灰皿装置内に導き入れる受光部を形成させたものがある。（公開実用新案公報所載の実開平３−９９６４７参照）
【０００４】
【発明が解決しようとする課題】
しかるに、かかる従来の手法では、この種の灰皿装置の揉み消し部分の上方に必ず光源からの光を導き入れる受光部を必要する。
【０００５】
このため、従来の手法は、揉み消し部分の上方に受光部をレイアウトできない場合には用いることができない。
【０００６】
だからといって、揉み消し部分の下方に受光部を設けただけでは、揉み消し部分を直接照らすことができない。
【０００７】
そこでこの発明は、この種の灰皿装置における煙草を揉み消す部分を、この揉み消す部分の下方に設けた受光部を通じ受け入れられる光により、十分に照らせるようにすることを主たる目的とする。
【０００８】
【課題を解決するための手段】
前記目的を達成するために、請求項１記載の発明にあっては、灰皿装置が以下の（１）〜（８）の構成を備えたものとした。
（１）上面を開口させると共に、側部に光源からの光を内部に受け入れる受光部を備えた吸い殻収納体と、
（２）この受光部の上方を覆うように配されると共に、光を上方に漏らし出させる貫通孔と、受光部から受け入れられた光をこの貫通孔に下方から入射させるように反射させる反射部とを備えた煙草の揉み消しプレート体と、
（３）この揉み消しプレート体の上方に配されると共に、貫通孔から漏らし出された光を揉み消しプレート体の上面側に向けて反射させる反射プレート体とを備えており、
（４）揉み消しプレート体の左右両側にはそれぞれ下方に突き出す取り付け脚部が備えられていると共に、
（５）吸い殻収納体における受光部の左右両側にはそれぞれ揉み消しプレート体の取り付け脚部が上方からはめ込まれるはめ込み部が形成してあり、
（６）揉み消しプレート体は、取り付け脚部を構成する下端を屈曲部とした左右屈曲片の前側片の上端間に亘るように設けられ、
（７）反射プレート体は、この左右屈曲片の後側片の上端間に亘るように設けられ、
（８）この取り付け脚部を介して揉み消しプレート体と反射プレート体とが一体となっている。
【０００９】
かかる構成によれば、前記受光部を通じて吸い殻収納体内に受け入れられた前記光源からの光を、揉み消しプレート体の貫通孔から上方に漏らし出させて先ずこの貫通孔を周囲が暗い場合であっても灰皿使用者に視認させることができる。
【００１０】
また、このように貫通孔を通じて上方に漏らし出される光を前記反射プレート体によって揉み消しプレート体側に、つまり、下方に反射させることができ、これにより、この揉み消しプレート体の上面を照らしてこの揉み消しプレート体の上面を灰皿使用者に視認させることができる。
【００１２】
また、かかる構成によれば、はめ込み部に取り付け脚部をはめ込むことにより、ワンタッチで吸い殻収納体に揉み消しプレート体を備え付けることができる。
【００１４】
また、かかる構成によれば、揉み消しプレート体と反射プレート体とをワンパーツ化できると共に、両者を一緒に吸い殻収納体に備え付けることができる。
【００１６】
また、かかる構成によれば、この反射プレート体に反射される光によって、揉み消しプレート体の上面の全体を照らすことができる。
【００１７】
また、請求項２記載の発明にあっては、請求項３又は請求項４記載の灰皿装置における吸い殻収納体の開口がこの開口の一側縁部に回動可能に組み付けられた蓋体によって開放可能に塞がれていると共に、受光部がこの蓋体の回動組み付け側にある吸い殻収納体の側部に形成してあり、揉み消しプレート体が反射プレート体との接合側を前記回動組み付け側に向けるようにして取り付けられていることを特徴としている。
【００１８】
かかる構成によれば、揉み消しプレート体の上面を利用した煙草の揉み消しに伴って生じる灰などが反射プレート体により吸い殻収納体と蓋体との回動組み付け部分を通じて外部にできる限り出ないようにすることができる。
【００１９】
また、請求項３記載の発明にあっては、請求項５記載の灰皿装置における反射プレート体が弾性を備えていると共に、蓋体が、その開き位置でこの反射プレート体の背面に押し当てられる第一の接触面と、その閉じ位置でこの反射プレート体の背面に押し当てられる第二の接触面とを、この第一の接触面に対し第二の接触面が交叉する向きの面となるように、この反射プレート体の背面への接触隅部を挟んで備えた反射プレート体への接触部を有していることを特徴としている。
【００２０】
かかる構成によれば、蓋体を、その開き位置においては前記反射プレート体の弾性によって常時開き方向に付勢することができ、また、その閉じ位置においてはこの反射プレート体の弾性によって常時閉じ方向に付勢することができ、開き位置と閉じ位置との双方において、蓋体のバタつき、ないしは、ガタつきを防止することができる。
【００２１】
【発明の実施の形態】
以下、図１ないし図８に基づいて、この発明の典型的な実施の形態について説明する。
【００２２】
なお、ここで図１は、実施の形態にかかる灰皿装置を構成する各部品を分離した状態として示している。また、図２ないし図７は、かかる灰皿装置をそれぞれ示しており、特に、図６は蓋体４を閉じた状態を、図７は蓋体４を開いた状態を示している。また、図８は、抽斗体Ｈの収納凹部Ｈａに灰皿装置をはめ込ませた状態を示している。
【００２３】
この実施の形態にかかる灰皿装置は、自動車などの乗り物の室内などに備え付けられて用いられるものである。
【００２４】
図示の例では、かかる灰皿装置は、自動車のインストルメントパネルやセンターコンソールなどの内部に引き出し可能に納められる抽斗体Ｈに設けられた収納凹部Ｈａに上方より取り外し可能にはめ込まれ用いられるものとして構成されている。
【００２５】
すなわち、図示の例では、かかる灰皿装置は、前記抽斗体Ｈを引き出し、かつ、灰皿装置の後述する吸い殻収納体１の開口１０を閉塞する蓋体４を開き操作してこの吸い殻収納体１の開口１０を開放させた状態で用いられるものとなっている。
【００２６】
かかる灰皿装置は、
（１）吸い殻収納体１と、
（２）揉み消しプレート体２と、
（３）反射プレート体３とを有している。
【００２７】
吸い殻収納体１は、上面を開口１０させると共に、側部に光源Ｒからの光を内部に受け入れる受光部１１を備えている。
【００２８】
図示の例では、かかる吸い殻収納体１は、ほぼ長方形状をなす底板１２と、この底板１２の四辺からそれぞれ上方に立ち上がる側板１３とを有している。そして、このように形成された底板１２と側板１３によって前記開口１０から入れ込まれた吸い殻などを内部にため込むように構成されている。
【００２９】
前記受光部１１は、底板１２の長さ方向に亙って形成された側板１３の一方に形成してある。具体的には、この受光部１１は、この側板１３の長さ方向ほぼ中程の位置に形成してある。図示の例では、かかる受光部１１は、この側板１３に形成されたほぼ方形の貫通穴１１ａを透明の遮蔽体１１ｂによって塞ぐことにより構成してある。
【００３０】
図示の例では、前記抽斗体Ｈに光源Ｒからの光を導く導光体Ｄが配されていると共に、このように配される導光体Ｄの端末部Ｄａが、この抽斗体Ｈの前記収納凹部Ｈａに臨むようにしてある。そして、この収納凹部Ｈａに前記吸い殻収納体１を上方からはめ込ませた際に、このように臨まされた導光体Ｄの端末部Ｄａが吸い殻収納体１の側部の外側において、前記受光部１１に光を照射し、このように照射された光が前記遮蔽体１１ｂを透過して吸い殻収納体１の内部に受け入れられるようになっている。（図８）
【００３１】
揉み消しプレート体２は、前記受光部１１の上方を覆うように配される。図示の例では、かかる揉み消しプレート体２は、ほぼ長方形の板状をなすように構成されている。そして、図示の例にあっては、この揉み消しプレート体２は、その長さ方向に沿った一方の縁部を、前記受光部１１が形成された吸い殻収納体１の側板１３の上縁に沿わせた状態で、この上縁から横向きに吸い殻収納体１の内方に突き出すように配されている。すなわち、このように配される揉み消しプレート体２の下方に前記受光部１１が位置されるようになっている。
【００３２】
また、かかる揉み消しプレート体２には、前記受光部１１から受け入れられた光を上方に漏らし出させる貫通孔２０が備えられている。図示の例では、この貫通孔２０は、揉み消しプレート体２の幅方向に沿ったスリット状をなすように構成されている。また、図示の例では、揉み消しプレート体２には複数の貫通孔２０、２０…が形成されている。各貫通孔２０、２０…は、揉み消しプレート体２の長さ方向において、隣り合う貫通孔２０との間にほぼ等しい間隔を開けて、並列状態に設けられている。また、図示の例では、この揉み消しプレート体２の長さ方向に沿った他方の縁部および幅方向に沿った縁部には、下方に向けた折り返し２３が施されている。そして、図示の例では、受光部１１から受け入れられた光がこの折り返し２３の内面によって反射されて揉み消しプレート体２の下方より貫通孔２０に入射され、この貫通孔２０を通じて上方に漏らし出されるようになっている。すなわち、図示の例では、この折り返し２３の内面が光沢を備えており、反射部２４として機能している。
【００３３】
反射プレート体３は、このように構成される揉み消しプレート体２の上方に配されている。図示の例にあっては、かかる反射プレート体３は、この揉み消しプレート体２の長さ方向に沿った一方の縁部であって、前記受光部１１が形成された吸い殻収納体１の側板１３の上縁に沿った縁部側から上方に突き出す光沢を備えた板状をなすように構成されている。
【００３４】
そして、かかる反射プレート体３は、揉み消しプレート体２の上面２１側に向けられた面（以下、この面を反射プレート体３の前面３０という。）によって、前記貫通孔２０から漏らし出された光を揉み消しプレート体２の上面２１側に向けて反射させるように構成されている。
【００３５】
これにより、かかる灰皿装置にあっては、前記受光部１１を通じて吸い殻収納体１内に受け入れられた前記光源Ｒからの光を、揉み消しプレート体２の貫通孔２０から上方に漏らし出させて先ずこの貫通孔２０を周囲が暗い場合であっても灰皿使用者に視認させることができる。
【００３６】
また、このように貫通孔２０を通じて上方に漏らし出される光を前記反射プレート体３によって揉み消しプレート体２側に、つまり、下方に反射させることができ、これにより、この揉み消しプレート体２の上面２１を照らしてこの揉み消しプレート体２の上面２１を灰皿使用者に視認させることができる。
【００３７】
また、図示の例にあっては、揉み消しプレート体２の左右両側にそれぞれ下方に突き出す取り付け脚部２２が一体に備えられていると共に、
吸い殻収納体１における受光部１１の左右両側にそれぞれ揉み消しプレート体２の取り付け脚部２２が上方からはめ込まれるはめ込み部１４が形成してある。
【００３８】
これにより、図示の例にあっては、はめ込み部１４に取り付け脚部２２をはめ込むことにより、ワンタッチで吸い殻収納体１に揉み消しプレート体２を備え付けることができる。
【００３９】
また、取り付け脚部２２は揉み消しプレート体２の左右両側に備えられており、かつ、はめ込み部１４は受光部１１の左右両側に形成されていることから、受光部１１から受け入れられる光を支障なく揉み消しプレート体２の貫通孔２０を通じて上方に漏らし出させることができる。
【００４０】
また、図示の例にあっては、揉み消しプレート体２に反射プレート体３が一体に接合されている。
【００４１】
これにより、図示の例にあっては、前記はめ込み部１４に取り付け脚部２２をはめ込むことにより、ワンタッチで吸い殻収納体１に揉み消しプレート体２と反射プレート体３とを備え付けることができる。
【００４２】
具体的には、図示の例にあっては、取り付け脚部２２は、下端を屈曲部２２ｂとし、この屈曲部２２ｂ側から前記はめ込み部１４に上方からはめ込まれる屈曲片２２ａとして構成されている。
【００４３】
そして、左側の屈曲片２２ａの前側片２２ｃの上端と右側の屈曲片２２ａの前側片２２ｃの上端との間に亘って、前記揉み消しプレート体２が設けられ、また、左側の屈曲片２２ａの後側片２２ｄの上端と右側の屈曲片２２ａの後側片２２ｄの上端との間に亘って、前記反射プレート体３が設けられるようになっている。これにより、揉み消しプレート体２と反射プレート体３とは、この取り付け脚部２２を介して一体に接合されている。
【００４４】
また、取り付け脚部２２を構成する屈曲片２２ａの前側片２２ｃは、その下端と上端との間において、後側片２２ｄに向けられた側を湾曲内側とするように湾曲させられていると共に、この湾曲を解く向きの弾性変形を許容するように構成されている。
【００４５】
一方、はめ込み部１４は、溝口を受光部１１の側に向けて開放させる向きに形成されると共に、溝上端を上方に開放させた溝状部１４ａとして構成されている。そして、この溝状部１４ａの一方の溝壁１４ｂと他方の溝壁１４ｂとの間の間隔が、取り付け脚部２２を構成する屈曲片２２ａの前側片２２ｃの外面のうちもっとも前方に張り出した箇所と後側片２２ｄの外面との間の間隔よりもやや小さくなるようにしてある。
【００４６】
この結果、図示の例にあっては、前記はめ込み部１４に上方より取り付け脚部２２を入れ込むことに伴って、取り付け脚部２２を構成する屈曲片２２ａの前側片２２ｃを前記湾曲を解く向きに弾性変形させて、この前側片２２ｃの外面を前記溝状部１４ａの一方の溝壁１４ｂに圧接させ、かつ、前記後側片２２ｄの外面を前記溝状部１４ａの他方の溝壁１４ｂに圧接させることができ、これにより、このはめ込み部１４に対する取り付け脚部２２のはめ付け状態を安定的に確保することができる。
【００４７】
また、図示の例にあっては、反射プレート体３は揉み消しプレート体２の一側部に亘るように設けられている。
【００４８】
具体的には、かかる反射プレート体３は、この揉み消しプレート体２の長さ方向に沿った一方の縁部であって、前記受光部１１が形成された吸い殻収納体１の側板１３の上縁に沿った縁部に亘るように設けられている。
【００４９】
これにより図示の例にあっては、この反射プレート体３に反射される光によって、揉み消しプレート体２の上面２１の全体を照らすことができる。
【００５０】
また、図示の例にあっては、吸い殻収納体１の開口１０がこの開口１０の一側縁部に回動可能に組み付けられた蓋体４によって開放可能に塞がれていると共に、
受光部１１がこの蓋体４の回動組み付け側にある吸い殻収納体１の側部に形成してあり、
揉み消しプレート体２が反射プレート体３との接合側を前記回動組み付け側に向けるようにして取り付けられている。
【００５１】
これにより図示の例にあっては、揉み消しプレート体２の上面２１を利用した煙草の揉み消しに伴って生じる灰などが反射プレート体３により吸い殻収納体１と蓋体４との回動組み付け部分を通じて外部にできる限り出ないようにすることができる。
【００５２】
具体的には、図示の例にあっては、蓋体４は、吸い殻収納体１の開口１０を上方から塞ぐ大きさのほぼ長方形の板状をなすように構成されている。
【００５３】
そして、吸い殻収納体１とかかる蓋体４とは、この吸い殻収納体１における受光部１１が形成された側板１３の上縁側において、回動可能に組み付けられている。
【００５４】
かかる蓋体４は、その長さ方向の一方側縁部に、この一方側縁部に亘って下方に向けて突き出す突き出し部４０を有しており、この突き出し部４０を吸い殻収納体１内に入れ込ませた状態で、その両側部において吸い殻収納体１に回動可能に組み付けられている。具体的には、この蓋体４の両側部に形成された軸穴４３と吸い殻収納体１の前記受光部１１が形成されている側板１３の上部の両側部に形成された軸穴１６とに軸体５を入れ込むことにより、吸い殻収納体１とかかる蓋体４とは回動可能に組み付けられている。
【００５５】
また、蓋体４における前記突き出し部４０の基部側には、この蓋体４の軸体５による回動組み付け位置を挟んだ蓋体４の自由端側と反対の側において、下方に向いた回動規制面４１が形成されており、吸い殻収納体１の側板１３の外面部であってその上縁側に形成された上方に向いた回動規制部１５にこの回動規制面４１が突き当たった位置まで蓋体４は開き出されるようになっている。（図７）
【００５６】
また、図示の例にあっては、反射プレート体３が弾性を備えていると共に、
蓋体４が、その開き位置でこの反射プレート体３の背面３１に押し当てられる第一の接触面４２ａと、その閉じ位置でこの反射プレート体３の背面３１に押し当てられる第二の接触面４２ｂとを、この第一の接触面４２ａに対し第二の接触面４２ｂが交叉する向きの面となるように、この反射プレート体３の背面３１への接触隅部４２ｃを挟んで備えた反射プレート体３への接触部４２を有している。
【００５７】
図示の例にあっては、かかる接触部４２は、蓋体４に形成された前記突き出し部４０の長さ方向ほぼ中程の位置に形成されている。具体的には、この突き出し部４０の突き出し端部に前記第一の接触面４２ａが形成されており、また、この突き出し部４０の前面側に前記第二の接触面４２ｂが形成されている。また、この突き出し部４０の前面と突き出し端部との接し合う箇所が前記接触隅部４２ｃとなるようにしてある。
【００５８】
この結果、図示の例にあっては、蓋体４を、その開き位置においては前記反射プレート体３の弾性によって常時開き方向に付勢することができ、また、その閉じ位置においてはこの反射プレート体３の弾性によって常時閉じ方向に付勢することができ、開き位置と閉じ位置との双方において、蓋体４のバタつき、ないしは、ガタつきを防止することができる。
【００５９】
図示の例では、反射プレート体３は、その前面および背面を、その下端に向かうに連れて揉み消しプレート体２の上面２１に次第に近づけるように傾斜させていると共に、前記蓋体４の回動による前記突き出し部４０の突き出し端部、つまり、接触部４２の接触隅部４２ｃの移動軌跡内に、前記背面３１を位置させるように構成されている。
【００６０】
これにより、かかる反射プレート体３は、前記蓋体４の閉じ位置から開き位置への回動操作時、または、開き位置から閉じ位置への蓋体４の回動操作時には、前記接触隅部４２ｃによって下方に押圧されるが、この押圧によって弾性変形してこの蓋体４の回動を許容するようになっている。
【００６１】
以上に説明した揉み消しプレート体２、反射プレート体３およびこの両者を一体に接合する取り付け脚部２２を、光沢を備えた金属板により構成しておくことにより、揉み消しプレート体２の耐熱性、反射プレート体３による光の反射特性、取り付け脚部２２の弾性変形特性を容易に確保することができる。
【００６２】
【発明の効果】
この発明にかかる灰皿装置によれば、煙草を揉み消す部分、すなわち、揉み消しプレート体の上面を、この揉み消しプレート体の下方に設けた受光部を通じ受け入れられる光により、十分に照らすことができる。
【図面の簡単な説明】
【図１】灰皿装置の分解斜視図
【図２】同正面図
【図３】同背面図
【図４】同平面図
【図５】同側面図
【図６】同断面図（蓋体４閉じ状態）
【図７】同断面図（蓋体４開き状態）
【図８】灰皿装置の使用状態の一例を示す構成図
【符号の説明】
１  吸い殻収納体
１０  開口
１１  受光部
２  揉み消しプレート体
２０  貫通孔
３  反射プレート体
【図１】
0004014928.tif 000002
【図２】
0004014928.tif 000003
【図３】
0004014928.tif 000004
【図４】
0004014928.tif 000005
【図５】
0004014928.tif 000006
【図６】
0004014928.tif 000007
【図７】
0004014928.tif 000008
【図８】
0004014928.tif 000009